(57)【特許請求の範囲】
【請求項１】
プラスチック製品に取付けられた前記プラスチック製品と異なる材質の異種材料物を前記プラスチック製品から除去する異種材料除去方法であって、
前記プラスチック製品を台座部に載せるステップと、
刃部を作動部により上下方向に移動させて前記異種材料物を打抜き除去するステップとを有し、
前記作動部は、前記台座部および前記刃部より下方に位置する、異種材料除去方法。
【請求項２】
プラスチック製品に取付けられた前記プラスチック製品と異なる材質の異種材料物を前記プラスチック製品から除去する異種材料除去装置であって、
前記プラスチック製品を載せる台座部と、
前記異種材料物を打抜く刃部と、前記刃部を上下方向に移動させる作動部とを有する打抜き除去部とを備え、
前記作動部は、前記台座部および前記刃部より下方に位置する、異種材料除去装置。
【発明の詳細な説明】
【技術分野】
【０００１】
本発明は、異種材料物を除去する方法、特に、プラスチック製品から異種材料物を除去する方法、およびその装置に関するものである。
【背景技術】
【０００２】
従来、家庭などから排出される廃棄プラスチックは、焼却処理や埋め立て処理をされていたが、地球環境の悪化、埋め立て地の不足などが社会的に問題となってきている。そのため近年、廃棄プラスチックのリサイクルに対する取組みがなされており、従来はあまり必要とされなかったリサイクル方法やその装置が必要となっている。
上記廃棄プラスチックは、使用済み家庭電化製品に多く含まれている。特に、テレビジョン受像機やパソコンのディスプレイの外装体にはプラスチックが使用されているため、これらのプラスチックをリサイクルする必要がある。
リサイクル方法の一つであるマテリアルリサイクルにおいては、プラスチック製品をプラスチックの種類毎に精度良く識別し分別する必要があるとともに、プラスチック製品に取付けてある異種材料物を取り除く必要がある。これは、異種材料物が混在したままリサイクルをすると、再生されたプラスチックの品質や物性に悪影響を及ぼすからである。例えば、テレビ受像機やパソコンのディスプレイの外装体には、外装体本体であるプラスチック以外に、紙ラベルや布製のスピーカーネットが接着剤で貼り付けられている。さらには、スイッチ類など異なる材質のプラスチック、または金属性のスピーカーネットが取り付けられている。従来は、これらの異種材料物を取り除くために、熱をかけて取り除いたり、作業者が工具を用いて切り落としたりしていた。
【特許文献１】特開２００１−８９０２１号公報
【発明の開示】
【発明が解決しようとする課題】
【０００３】
上記のように、従来の異種材料除去方法は、作業者が主に手作業で行っていたため、除去作業に大きな負担がかかり効率が悪かった。また、電動工具や油圧工具などで切り落とす場合、プラスチック製品の固定が不安定となり作業者の作業安全面や、切削粉塵が飛散するなど作業環境面においても問題があった。
本発明は、上記課題を解決するためになされたものであり、プラスチック製品からプラスチック製品と異なる材質の異種材料物を効率よく除去可能で、かつ作業安全面や作業環境面においても問題のない異種材料除去方法およびその装置を提供することを目的とする。
【課題を解決するための手段】
【０００４】
上記目的を達成するために本発明は以下の構成とする。
本発明に係る異種材料除去方法は、プラスチック製品に取付けられたプラスチック製品と異なる材質の異種材料物をプラスチック製品から除去する異種材料除去方法であって、プラスチック製品を台座部に載せるステップと、刃部を作動部により上下方向に移動させて異種材料物を打抜き除去するステップとを有し、作動部は、台座部および刃部より下方に位置する、ことを特徴とする。
この方法によると、プラスチック製品から異種材料物を機械的に打抜くため効率がよく、かつ打抜くため切削粉塵の飛散がなく作業環境面においても問題なく異種材料物を除去することができる。
また、本発明に係る異種材料除去装置は、プラスチック製品に取付けられたプラスチック製品と異なる材質の異種材料物をプラスチック製品から除去する異種材料除去装置であって、プラスチック製品を載せる台座部と、異種材料物を打抜く刃部と、刃部を上下方向に移動させる作動部とを有する打抜き除去部とを備え、作動部は、台座部および刃部より下方に位置することを特徴とする。
この装置によると、作動部が台座部より下方に位置するので、作動部が作業者の目前になく、プラスチック製品を容易に台座部へ設置できるとともに、作業者が除去したい異種材料物を直接見ることができるため、作業性もよい。また、プラスチック製品の台座部からの鉛直方向高さに関係なく、打抜き除去部の刃部のストロークを少なくすることができるため、コンパクトな装置を実現することができる。
【発明の効果】
【０００７】
以上、本発明の異種材料除去方法によれば、効率がよく、作業安全性が確保でき、かつ作業環境面においても問題なく異種材料物を除去することができる。また、本発明の異種材料除去装置によれば、作業性がよく、かつコンパクトな装置を実現することができる。
【発明を実施するための最良の形態】
【０００８】
本発明の異種材料除去方法および装置は、プラスチック製品に取付けられたプラスチック製品と異なる材質の異種材料物をプラスチック製品から除去する除去方法および装置である。また、プラスチック製品をプラスチック製品の側面の外側から押圧し保持しながら、異種材料物を打抜き除去することが好ましい。装置の打抜き除去部は、上下移動により異種材料物を打抜く刃部と、刃部を上下方向に移動させる作動部とを有する。作動部はプラスチック製品を載せる台座部および刃部よりも装置の下方に位置することが好ましい。
以下、本発明の一例として、異種材料除去方法および装置１０１について、図１〜図７を用いて説明する。
【０００９】
（実施の形態）
本実施の形態では、プラスチック製品の例として、略箱型形状でかつ前面と前面に相対する背面とに開口部を有するテレビキャビネットを用いる。
図１は、本発明の異種材料除去装置１０１の概略図、図２は異種材料物が取付けられているプラスチック製品であるテレビキャビネット１０、図３〜図７は本発明の異種材料除去方法および装置１０１の動作を表す図である。
図１に示すように、異種材料除去装置１０１は、プラスチック製品からプラスチック製品と異なる材質の異種材料物を打抜き除去するための打抜き除去部１を有し、打抜き除去部１は主に、刃部２と作動部３とからなる。刃部２は、異種材料物を打抜くための部材である。作動部３は、刃部２を上下方向に移動させるための機構であり、本体部分から延びる連結部３ａを有しており、連結部３ａの上端は刃部２に連結されている。本実施の形態では、作動部３が刃部２を下方に移動させることで打抜きを行う。刃部２は連結部３ａより大きな四角形状であり、４辺下部にそれぞれ刃が形成されている。なお、刃部２は、テレビキャビネット１０の開口部１２ａ内を通過可能な大きさに設定されている必要がある。また、連結部３ａは、後述する台座部４の孔４ｃ（図３参照）を上下方向に貫通している。台座部４は、プラスチック製品を載せるための部材であり、上面である台座面４ａと、それを支持する枠体４ｂとから構成されており、内部に空間を有している。台座面４ａの中心には、図３に示すように、上下方向に貫通する孔４ｃが形成されている。
【００１０】
異種材料除去装置１０１は、さらに、枠体５と、作業ハンドル６と、スライドレール７とを台座面４ａ上に有している。枠体５は、台座面４ａ上をスライド可能に配置された部材であり、四角形の側面部のみからなり、上下方向に開いている。枠体５は、プラスチック製品をその枠内に設置できるだけの十分な大きさを持つ。プラスチック製品は、枠体５内に配置され、さらに、押圧保持部１７よって側面の外側から押圧されて枠体５内に固定される。押圧保持部１７は、押し板１７ａと、付勢部１７ｂとを有している。押し板１７ａは、枠体５内に配置された板状の部材であり、この実施形態では図１の左右方向に延びており、前後方向に移動可能になっている。付勢部１７ｂは押し板１７ａを図１の前方向に付勢力を与えることができ、図示しない駆動部によって駆動される。
作業ハンドル６は、プラスチック製品を台座面４ａ上で動かすための機構であり、枠体５に取り付けられている。スライドレール７は、プラスチック製品を台座面４ａ上でガイドとして移動させるための機構である。
【００１１】
異種材料除去装置１０１は、さらに、排出シュート８と、回収箱９とを備えている。排出シュート８は、異種材料物の打抜き片を排出するための部材であり、打抜き片を容易に回収できるよう、打抜き片をガイドする構造になっている。回収箱９は、排出シュート８から搬送される異種材料物の打抜き片を回収する回収箱である。排出シュート８と回収箱９は、台座部４の内部の空間に配置されている。
図２において、テレビキャビネット１０は、側面１１と、前面１２とを有している。前面１２には、開口部１２ａ（テレビ画面が嵌められていた部分）が形成されており、その周囲に異種材料物１３が設けられている。異種材料物１３は、金属製ネットもしくは布製ネットから構成されているスピーカー部１４および電源スイッチ、リモコン受光部、銘板、操作ボタンなどから構成される前面操作部１５からなる。
【００１２】
次に、本実施の形態の異種材料除去方法を説明する。
図３は、異種材料除去装置１０１を正面（ＸＺ平面）から示した図であり、図２で示したプラスチック製品のテレビキャビネット１０を、枠体５内に設置した状態を示している。テレビキャビネット１０は、異種材料物１３を有する前面側開口部１２ａ面が台座面４ａ側になるように、前面側開口部１２ａに刃部２を通過させて設置する。次に、装置１０１を上面（ＸＹ平面）から示した図４のように、押圧保持部１７により、テレビキャビネット１０の側面１１の外側から押圧して、枠体５内に保持する。これにより、例えば、テレビキャビネット１０が枠体５よりも小さい場合でも、異種材料除去装置１０１に固定することができる。側面１１を押圧するのは、キャビネット１０の剛性を考慮して、押圧した際の耐性が強くなる箇所を選んだ結果である。そして、図５に示すように、作業ハンドル６を操作することにより、異種材料物１３であるスピーカー部１４もしくは前面操作部１５が刃部２の下方にくるように、スライドレール７上でテレビキャビネット１０を枠体５と共に移動させる。さらに、装置１０１を正面（ＸＺ平面）から示した図６のように、作動部３を下方に動作させ、図中矢印方向に刃部２を下降させて、異種材料物１３を打抜く。この例では、作動部３を下方に動作させることで、装置をコンパクト化している。打抜かれた異種材料物１３の打抜き片１６は排出シュート８から排出され、回収箱９へ回収される。その後、装置１０１を上面（ＸＹ平面）から示した図７のように、作業ハンドル６を操作することにより、テレビキャビネット１０を枠体５と共にスライドレール７に沿って図中ＸおよびＹ方向に移動させながら、図５〜図６の作業を繰り返す。
【００１３】
上記方法により、テレビキャビネット１０から異種材料物１３を機械的に打抜くことができ、効率がよく、また、テレビキャビネット１０を押圧保持するため作業安全性が確保でき、かつ打抜くため切削粉塵の飛散がなく環境面においても問題なく異種材料物１３を除去することができる。
なお、プラスチック製品はテレビキャビネットに限らず、他の機器などの異種材料物が付いたプラスチック製品であってもよい。
また、プラスチック製品を押圧、保持する箇所は、プラスチック製品が押圧に対して十分に耐性がある面や箇所であれば、側面に限定されない。
作動部の動作方向は、本発明の効果が得られるものであれば、下方に限定されない。
本発明の異種材料除去方法および装置は、本発明の効果を得られるものであれば、上記実施の形態には限定されない。
【産業上の利用可能性】
【００１４】
本発明は、異種材料物を効率よく、かつ作業安全面や作業環境面においても問題なく取り除くことができ、様々なマテリアルリサイクルに適用可能である。
【図面の簡単な説明】
【００１５】
【図１】本発明の実施の形態に係る異種材料除去装置の概略図。
【図２】テレビキャビネットの一例を示す図。
【図３】プラスチック製品をセットした状態を示す、本実施の形態に係る異種材料除去装置の正面図。
【図４】プラスチック製品を押圧、保持した状態を示す、本実施の形態に係る異種材料除去装置の上面図。
【図５】プラスチック製品の移動状態を示す、本実施の形態に係る異種材料除去装置の上面図。
【図６】異種材料物の打抜き時を示す、本実施の形態に係る異種材料除去装置の正面図。
【図７】プラスチック製品の移動状態を示す、本実施の形態に係る異種材料除去装置の上面図。
【符号の説明】
【００１６】
１    打抜き除去部
２    刃部
３    作動部
３ａ    連結部
４    台座部
４ａ    台座面
４ｂ    枠体
４ｃ    孔
５    枠体
６    作業ハンドル
７    スライドレール
８    排出シュート
９    回収箱
１０    テレビキャビネット
１１    側面
１２    前面
１２ａ  前面側開口部
１３    異種材料物
１４    スピーカー部
１５    前面操作部
１６    打抜き片
１７    押圧保持部
１０１    異種材料除去装置
【図１】
0004950658.tif 000002
【図２】
0004950658.tif 000003
【図３】
0004950658.tif 000004
【図４】
0004950658.tif 000005
【図５】
0004950658.tif 000006
【図６】
0004950658.tif 000007
【図７】
0004950658.tif 000008